(57)【要約】      （修正有）【課題】個人情報を保護しつつも複数の販売者が購買者情報を利用でき、従来はアプローチが難しかった購買者や、潜在的な購買者に対して販促アプローチを成し得る、アフィリエイトシステムを提供する。【解決手段】販売者であるマーチャント名、購買された商品名、商品価格及び顧客６の氏名を含む購買情報と顧客の電子メールアドレス、性別及び生年月日を含む顧客属性とを格納する第一データベースサーバ２と、マーチャントと顧客とアフィリエイタ５との関連性を示す関連性情報を格納する第二データベースサーバ３と、商品を販売する複数のマーチャントＥＣサイト４とを備え、購買者が商品を購入する際、第二データベースサーバ３において購買者の関連情報を引き当て、当該購買者が、他のマーチャントＥＣサイトにおいて最初に購買した者であることが判明した場合には、前記他のマーチャントＥＣサイトに対し広告代理料を入金する。【選択図】図１
2011150452.tif 000002
【特許請求の範囲】
【請求項１】
販売者であるマーチャント名、購買された商品名、商品の価格及び購買者である顧客の氏名を含む購買情報と顧客の電子メールアドレス、性別及び生年月日を含む顧客属性とを格納する第一データベースサーバと、
マーチャントと顧客とアフィリエイタとの関連性を示す関連性情報を格納する第二データベースサーバと、
商品を販売するための窓口である複数のマーチャントＥＣサイトとを備え、
購買者が商品を購入する際には、前記第二データベースサーバにおいて購買者に関連づけられた関連情報を引き当て、当該購買者が、他のマーチャントＥＣサイトにおいて最初に購買した者であることが判明した場合には、前記他のマーチャントＥＣサイトに対し広告代理料を入金することを特徴とする、アフィリエイトシステム。
【発明の詳細な説明】
【技術分野】
【０００１】
本発明は、アフィリエイト・プログラムを実施するコンピュータシステムに関し、特に、決済会社の決済システムとアフィリエイトサービスプロバイダのコンピュータシステムとを連携させて、出品店舗への支払いやアフィリエイタへの報酬の支払いを行うことを可能にしたシステムに関する。
【背景技術】
【０００２】
近年、新たな広告手法として、アフィリエイト・プログラム（アソシエイト・プログラムとも言う）が注目されている。アフィリエイト・プログラムとは、ユーザが何らかのトランザクション（商品の購入、アンケートへの記入、会員登録など）をブラウザにより発生させて初めて広告料がアフィリエイタに支払われる成果報酬型の広告配信手法である。アフィリエイト・プログラムでは、個人や企業のＷｅｂ（ウェブ）サイトやメールマガジンの運営者が、広告主（マーチャント）の広告を自身のサイトに配置し、そのサイトを訪れた訪問客の広告主のＥＣ（Electronic  
Commerce）サイトへの誘導をはかるようにしている。そして、誘導された訪問客が広告を経由してＥＣサイトへ進み、サービスや商品の購入、会員申込みなどを達成した際に、誘導元のサイトへの成果報酬が発生するようになっている。
【０００３】
例えば、特許文献１には、商品を仮想店舗に出品する店舗サイトと、商品を紹介するアフィリエイタのサイトと、決済システムとにネットワークを介して接続されるアフィリエイト販売システムにおいて、決済システムとの間でアフィリエイトサービスの課金・決済に係るデータ送受方式を規定した課金ＡＰＩと、店舗サイトでユーザが購入した商品の代金の決済情報を含む決済完了通知を課金ＡＰＩに従って決済システムから受信する手段と、決済情報に基づき、ユーザが購入した商品を紹介したアフィリエイタに対する報酬額を決定すると共に、課金ＡＰＩに従って、決済完了通知に対して報酬額を含む報酬情報を決済システムに返信して商品の代金から報酬額を差し引いた残額を店舗サイトの店舗口座に振込む処理を決済システムに実行させる手段と、を備えるアフィリエイトシステムが開示されている。
【先行技術文献】
【特許文献】
【０００４】
【特許文献１】特開２００９−２２３９１９号公報
【発明の概要】
【発明が解決しようとする課題】
【０００５】
以上の特許文献に係る発明は、購買者が商品を購入した場合に、紹介したアフィリエイタに対する報酬額を決定し、決済完了通知に対して報酬額を含む報酬情報を決済システムに返信して商品の代金から報酬額を差し引いた残額を販売者の口座に振込むものであるが、購買者の情報は購入された販売者にしか提供されないため、この購買者情報を他の販売者が利用することはできない。一方、この購買者情報を他の販売者と共有しようとする場合には、個人情報保護上の問題が発生する。
【０００６】
本発明は、以上の点に鑑み、個人情報を保護しつつも複数の販売者が購買者情報を利用することができ、従来はアプローチすることが難しかった購買者や、潜在的に眠っている購買者に対して販促アプローチを成し得る、アフィリエイトシステムを提供することを目的としている。
【課題を解決するための手段】
【０００７】
上記目的は、本発明の構成によれば、販売者であるマーチャント名、購買された商品名、商品の価格及び購買者である顧客の氏名を含む購買情報と顧客の電子メールアドレス、性別及び生年月日を含む顧客属性とを格納する第一データベースサーバと、マーチャントと顧客とアフィリエイタとの関連性を示す関連性情報を格納する第二データベースサーバと、商品を販売するための窓口である複数のマーチャントＥＣサイトとを備え、購買者が商品を購入する際には、第二データベースサーバにおいて購買者に関連づけられた関連情報を引き当て、当該購買者が、他のマーチャントＥＣサイトにおいて最初に購買した者であることが判明した場合には、前記他のマーチャントＥＣサイトに対し広告代理料を入金することを特徴とする、アフィリエイトシステムにより、達成される。
【発明の効果】
【０００８】
上記構成によれば、個人情報を保護しつつも複数の販売者が購買者情報を利用することができ、従来はアプローチすることが難しかった購買者や、潜在的に眠っている購買者に対して販促アプローチをすることができる。
【図面の簡単な説明】
【０００９】
【図１】本発明のアフィリエイトシステムの実施形態の構成を示すブロック図である。
【発明を実施するための形態】
【００１０】
以下、図面に示した実施形態に基づいて本発明を詳細に説明する。
【００１１】
図１は、本発明のアフィリエイトシステムの実施形態の構成を示している。
アフィリエイトシステム１は、購買情報及び顧客属性を格納する第一データベースサーバ２と、関連性情報を格納する第二データベースサーバ３と、商品を販売するための窓口であるマーチャントＥＣサイト４とを備える。
【００１２】
第一データベースサーバ２に格納される購買情報とは、販売者であるマーチャント名、購買された商品名、商品の価格、購買者である顧客の氏名等である。また、顧客属性とは、顧客の電子メールアドレス、性別、生年月日といった個人情報を含む情報である。さらに、第二データベースサーバ３に格納される関連性情報とは、マーチャントＡの商品を顧客aが、アフィリエイタαを経由して購入した、といった、マーチャントと顧客とアフィリエイタとの関連性を示す情報である。
【００１３】
このようなアフィリエイトシステム１を利用し、アフィリエイトを行う方法について説明する。例えば、アフィリエイタ５は、自らのブログなどにおいて、マーチャントＥＣサイト４の商品を紹介する。これを見た顧客６は、この商品を購入する。すると、顧客６とマーチャントＥＣサイト４との間で決済が行われる。この際、アフィリエイタ５にも広告代理料が入金される。この購買行動により得られた購買情報や顧客属性、関連情報は、タグ７に格納され、第一データベースサーバ２及び第二データベースサーバ３に送信され、格納される。
【００１４】
ここで、アフィリエイタ５は、第一データベースサーバ２に格納されている購買情報を分析して、マーチャントの商品やサービスを顧客にメルマガにより宣伝することができる。この際、顧客属性のうち個人を特定することのできない情報、具体的には購入商品、金額、購入頻度、年齢、都道府県、性別といった属性により購買分析をすることができる。
【００１５】
また、各マーチャントＥＣサイトは、第一データベースサーバ２に格納されている購買情報を分析して、自社顧客のリピート率やチャネル別の分析データとして参照することができるほか、アフィリエイタごとの効果測定などを行うことができる。また、マーチャント同士が購買情報を共有できるので、他業界からの新規顧客の開拓およびリピート化を実現できる。
【００１６】
このようにして購買情報を共有した結果、本来マーチャントＥＣサイト４の顧客であった購買者が、他のマーチャントＥＣサイト８において購買する場合がある。この場合には、これを仲介したアフィリエイタ５のみならず、マーチャントＥＣサイト４にも広告代理料が入金される。具体的には、このような購買行動が発生した際、第二データベースサーバ３において購買した顧客に関連づけられた関連情報を引き当てる。この関連情報に当該顧客とマーチャントＥＣサイト４との関連性が記録されていた場合には、当該顧客は本来マーチャントＥＣサイト４の顧客であったことがわかるから、マーチャントＥＣサイト４に広告代理料を入金することができる。
【００１７】
さらに、各マーチャントＥＣサイトは、第二データベースサーバ３において関連情報を参照することができるので、売上に貢献したアフィリエイタ５を割り出し、このアフィリエイタ５に対し連絡をとることで、自社の商品を宣伝することを要請することができる。
【００１８】
本発明はその趣旨を逸脱しない範囲において様々な形態で実施することができる。
例えば、上述した実施形態においては、第一データベースサーバ２と、第二データベースサーバ３とを個別に用意しているが、これらは物理的に同じサーバ内に格納されていても良い。また、第一データベースサーバ２が例えば購買情報サーバ及び顧客属性サーバといった複数のサーバに分かれて構成されていても良い。
【００１９】
以上述べたように、本発明によれば、簡単な構成により、個人情報を保護しつつも複数の販売者が購買者情報を利用することができ、従来はアプローチすることが難しかった購買者や、潜在的に眠っている購買者に対して販促アプローチをすることができる。
【符号の説明】
【００２０】
１    アフィリエイトシステム
２    第一データベースサーバ
３    第二データベースサーバ
４，８    マーチャントＥＣサイト
５    アフィリエイタ
６    顧客
７    タグ
【図１】
2011150452.tif 000003